(57)【要約】【課題】無理に変形させる、或いは調整加工等を行うことがなく、容易に施工可能であり、連結させる竪樋や呼び樋が外れるのを確実に防止することができる管継手及び該管継手を用いた雨樋構造を提供する。【解決手段】上竪樋４Ａと下竪樋４Ｂとを有した竪樋４と、呼び樋５と、を接続対象として、上竪樋４Ａと下竪樋４Ｂとを接続する縦管部６と、呼び樋５を接続させる横管部８と、を備え、縦管部６の軸線の方向の中間部には、前記軸線の方向に交叉する方向から横管部８を挿入させる挿通孔１２が前記交叉する方向に貫通し、横管部８は、有底筒状に形成され、横管部８の周壁部８ｗには、挿通孔１２に挿入された際に縦管部６を軸線の方向に連通させる開口部１４ａ，１４ｂが形成され、横管部８の底部８ａが、挿通孔１２に挿入された状態で縦管部６の周壁部６ｗから突出して呼び樋５の差し口９となっている。【選択図】図６
2016138434.tif 000002
【特許請求の範囲】
【請求項１】
上竪樋と下竪樋とを有した竪樋と、呼び樋と、を接続対象として、
前記上竪樋と前記下竪樋と接続する縦管部と、
前記呼び樋を接続させる横管部と、を備え、
前記縦管部の軸線方向の中間部には、前記軸線方向に交叉する方向から前記横管部を挿入させる挿通孔が前記交叉する方向に貫通し、
前記横管部は、有底筒状に形成され、
前記横管部の周壁部には、前記挿通孔に挿入された際に前記縦管部を前記軸線方向に連通させる開口部が形成され、
前記横管部の開口端部が、前記挿通孔に挿入された状態で前記縦管部の周壁部から突出して前記呼び樋との接続部となっている管継手。
【請求項２】
前記挿通孔には、前記横管部の挿通方向に突出するつば部が形成されている請求項１に記載の管継手。
【請求項３】
前記横管部の開口端部の反対側の底部には挿通規制部が形成されている請求項１又は２に記載の管継手。
【請求項４】
前記縦管部と前記横管部には、前記縦管部の内孔に対して前記開口部の向きを合わせる位置合わせ部が設けられている請求項１から３のいずれか一項に記載の管継手。
【請求項５】
建物の外壁に沿って配される竪樋と、
前記竪樋に向かって横方向に配される前記呼び樋と、
前記竪樋と前記呼び樋とを接続する請求項１から４のいずれか一項に記載の管継手と、を備えた雨樋構造。
【発明の詳細な説明】
【技術分野】
【０００１】
本発明は、管継手及び雨樋構造に関する。
【背景技術】
【０００２】
一般に、住宅等の建物には、屋根から流れ落ちる雨水を受ける軒樋と、集水器（所謂、合わせ枡）や呼び樋を介して軒樋に繋げられ、軒樋に集められた雨水を排水管に導くための竪樋とを備えた雨樋が設置されている。従来、竪樋と、呼び樋との合流部（以下、単に合流部という）には、上端に上竪樋や呼び樋を挿入可能な集水部が開口し、下端に下竪樋を挿入可能な排水部がそれぞれ開口してなる筒状の合わせ枡が用いられてきた。
【０００３】
最近では、住宅の外観を向上させるために、合流部において合わせ枡に替えて、Ｙ字（或いはＴ字）状の管継手（所謂、チーズ）を用いる場合が多くなっている。
例えば、特許文献１には、本体の側部に開口孔を設け、この開口孔の周囲に鍔部を横方向に立設し、該鍔部を開口孔の内周面に当接し、その後、当接部分をスポット溶接等にて固着してなる雨樋用Ｔ字管が開示されている。この雨樋用Ｔ字管では、上述したように住宅の外観が向上し、加えて、横管が本体内部に突出していないため、上部から落下してくる雨水の流れを阻害せず、ゴミ等が溜まることもなく、雨水の衝突による騒音の発生もない。また、横管と呼び樋との嵌合部の溶接が不要となるため、溶接の熱による横管端部の歪み等が発生せず、嵌合部をなす横管が変形することもない。
【先行技術文献】
【特許文献】
【０００４】
【特許文献１】特開２０００−２７３８９号公報
【発明の概要】
【発明が解決しようとする課題】
【０００５】
しかしながら、上記特許文献１に開示されている雨樋用Ｔ字管をはじめとする従来のチーズを用いた雨樋構造を施工する際には、上述のようにチーズの端部に接続する上竪樋、下竪樋及び呼び樋等の部材を強引に弾性変形させる必要があり、施工作業に難があった。
【０００６】
本発明は、上記事情を鑑みてなされたものであって、容易に施工可能である管継手及び該管継手を用いた雨樋構造を提供する。
【課題を解決するための手段】
【０００７】
本発明に係る管継手は、上竪樋と下竪樋とを有した竪樋と、呼び樋と、を接続対象として、前記上竪樋と前記下竪樋と接続する縦管部と、前記呼び樋を接続させる横管部と、を備え、前記縦管部の軸線方向の中間部には、前記軸線方向に交叉する方向から前記横管部を挿入させる挿通孔が前記交叉する方向に貫通し、前記横管部は、有底筒状に形成され、前記横管部の周壁部には、前記挿通孔に挿入された際に前記縦管部を前記軸線方向に連通させる開口部が形成され、前記横管部の開口端部が、前記挿通孔に挿入された状態で前記縦管部の周壁部から突出して前記呼び樋との接続部となっている。
上記管継手によれば、縦管部の挿通孔に横管部を挿入させてＹ字構造を形成するようになっている。したがって、呼び樋又は横管部を無理やり変形させたり調整加工したりすることなく、端部を挿通孔に向けておいた呼び樋に向けて横管部を挿通孔に挿入するだけで管継手と呼び樋とを容易に接続することができる。
【０００８】
本発明に係る管継手では、前記挿通孔に、前記横管部の挿通方向に突出するつば部が形成されていることが好ましい。
上記管継手によれば、縦管部の挿通孔に横管部を挿通させた際に、つば部により横管部を挿通方向にガイドすることができる。
【０００９】
また、本発明に係る管継手では、前記横管部の開口端部の反対側の底部に挿通規制部が形成されていることが好ましい。
上記管継手によれば、縦管部の挿通孔に横管部を挿通させた際に、挿通方向後端に設けられた挿通規制部により横管部の位置決めがなされ、差し込み過ぎの発生を防止することができる。また、縦管部から横管部を抜出する際に、指や抜出具を挿通規制部に係止することで横管部が縦管部の挿通孔から容易に引き抜くことができる。
【００１０】
また、本発明に係る管継手では、前記縦管部と前記横管部には、前記縦管部の内孔に対して前記開口部の向きを合わせる位置合わせ部が設けられていることが好ましい。
上記管継手によれば、縦管部の挿通孔に横管部を挿通させた際に、位置合わせ部により縦管部の内孔と横管部の開口部の向きが容易且つ正確に一致する。従って、上竪樋、下竪樋及び呼び樋等の部材と管継手との接続がより容易且つ良好になり、作業効率が向上する。
【００１１】
本発明に係る雨樋構造は、建物の外壁に沿って配される竪樋と、前記竪樋に向かって横方向に配される前記呼び樋と、前記竪樋と前記呼び樋とを接続する上記管継手と、を備えたことを特徴とする。
上記雨樋構造によれば、上記管継手を備えることで、呼び樋又は横管部を無理やり変形したり、調整加工したりすることなく、容易且つ円滑に接続することができる。
【発明の効果】
【００１２】
本発明の管継手及び雨樋構造によれば、連結させる呼び樋等を無理やり変形させる、或いは調整加工等を行うことなく容易に施工することができるという効果を奏する。
【図面の簡単な説明】
【００１３】
【図１】本発明の一実施形態である管継手及び雨樋構造が施工された建物を示す側面図である。
【図２】本発明の一実施形態である雨樋構造を示す側面図である。
【図３】本発明の一実施形態である管継手の構成要素を示す図であって、（ａ）は縦管部を示す斜視図であり、（ｂ）は横管部を示す斜視図である。
【図４】本発明の一実施形態である管継手を横管部の底部側から見た場合に対応する側面図である。
【図５】本発明の一実施形態である雨樋構造の施工方法を説明するための側面図である。
【図６】本発明の一実施形態である雨樋構造の施工方法を説明するための側面図である。
【発明を実施するための形態】
【００１４】
以下、本発明を適用した一実施形態（以下、「本実施形態」と記載する）である管継手及び雨樋構造について、図面を参照して説明する。なお、以下の説明で用いる図面は模式的なものであり、長さ、幅、及び厚みの比率等は実際のものと同一とは限らず、適宜変更することができる。
【００１５】
図１は本実施形態の管継手１を用いた雨樋構造Ｘが設置された建物Ｂを示す側面図である。
図１に示すように、住宅等の建物Ｂには、雨樋構造Ｘが設置されている。具体的には、雨樋構造Ｘは、屋根Ｒから流れ落ちる雨水を受ける軒樋２の最下流に取り付けられた集水器３と、一部が地中に設置される不図示の排水管との間に設置されている。
【００１６】
図２は、本実施形態の雨樋構造Ｘを示す側面図である。
図２に示すように、雨樋構造Ｘは、上竪樋４Ａ及び下竪樋４Ｂを備えた竪樋４と、竪樋４に向かって横方向に配される呼び樋５と、竪樋４と呼び樋５とを接続する管継手１と、を備えている。
【００１７】
上竪樋４Ａ及び下竪樋４Ｂは、塩化ビニル等の合成樹脂で形成され、図１に示すように建物Ｂの外壁Ｗに沿って鉛直方向（縦方向ともいう）に配される管材である。
【００１８】
呼び樋５は、塩化ビニル等の合成樹脂で形成され、図１に示すように雨水を竪樋４に向かって横方向（即ち、ほぼ水平方向）に導く管材である。
呼び樋５は集水器３から管継手１に向かうに従い下降するように傾斜して設置されている。呼び樋５の上流側端部は集水器３に接続されている。図２に示すように、呼び樋５の下流側端部は、管継手１に外嵌されている。
【００１９】
管継手１は、塩化ビニル等の合成樹脂で形成され、上竪樋４Ａ及び下竪樋４Ｂを有する竪樋４と、呼び樋５と、を接続対象とする部材であり、上竪樋４Ａと下竪樋４Ｂと接続する縦管部６と、呼び樋５を接続させる横管部８と、を備えている。
【００２０】
図３は、縦管部６及び横管部８を示す斜視図である。
図３に示すように、縦管部６は内孔Ｈ６を有し、管状に形成された部材である。縦管部６の上端６ａには、図５に示す上竪樋４Ａの下端部４ｍに内嵌させる差し口７Ａが設けられている。縦管部６の下端６ｂには、下竪樋４Ｂの上端部４ｎに内嵌させる差し口７Ｂが設けられている。
【００２１】
縦管部６の軸線Ｊ６方向の中間部には、この方向に交叉する軸線Ｊ１２方向に横管部８を挿入させる挿通孔１２が貫通している。縦管部６に形成された挿通孔１２は、横管部８の軸線Ｊ８に直交する断面形状と略同形状に形成されている。
挿通孔１２の両開口端縁には、つば部２２が形成されている。
つば部２２は、挿通孔１２の開口端縁から軸線Ｊ１２方向（横管部８の挿通方向）に円筒形状に立ち上がり、その内周面２２ａに横管部８の外周面を略密着させて挿入できるようになっている。
【００２２】
横管部８は有底筒状に形成された部材である。横管部８の周壁部８ｗには、挿通孔１２に挿入された際に縦管部６の内孔Ｈ６を軸線Ｊ６方向に連通させる開口部１４ａ，１４ｂが形成されている。横管部８の直径は、縦管部６の内径と略同寸法以上に形成され、開口部１４ａ，１４ｂが縦管部６の内孔Ｈ６よりも小さくなって周壁部８ｗにより内孔Ｈ６を狭めないようになっている。
【００２３】
横管部８の軸線Ｊ８方向の開口端部８ｂは、挿通孔１２に挿入された状態で縦管部６の周壁部６ｗから突出して図２に示す呼び樋５に接続される差し口９（接続部）となっている。横管部８の開口端部８ｂの反対側の底部８ａには、挿通規制部２６が形成されている。具体的には、挿通規制部２６は、底部８ａから横管部８の径方向に張り出した突起（所謂、フランジ）となっている。
【００２４】
図４は、縦管部６の挿通孔１２に横管部８を挿入した状態の管継手１を横管部８の底部８ａ側から見た側面図である。
図４に示すように、縦管部６と横管部８には、縦管部６の内孔Ｈ６に対して横管部８の開口部１４ａ，１４ｂの開口の向きを軸線Ｊ６方向に合わせる位置合わせ部として目印Ｐ１，Ｐ２が設けられている。
【００２５】
目印Ｐ１，Ｐ１は、挿通孔１２の中心を通る鉛直方向の線上であって、挿通孔１２に挿入された横管部８の挿通規制部２６の直上及び直下に設けられた三角形状の印である。目印Ｐ２，Ｐ２は、底部８ａの同一直径上に設けられ、開口部１４ａ，１４ｂが鉛直方向に向いた際に目印Ｐ２，Ｐ２を結んだ線が鉛直方向を向く位置に設けられた三角形状の印である。
【００２６】
次に、管継手１及び雨樋構造Ｘの施工方法について説明する。図５及び図６は、管継手１及び雨樋構造Ｘの施工方法を説明するための側面図である。
雨樋構造Ｘを施工する際には、先ず、図５に示すように、上竪樋４Ａの下端部４ｍに縦管部６の差し口７Ａを内嵌させる。続いて、縦管部６の差し口７Ｂに下竪樋４Ｂの上端部４ｎを外嵌させる。なお、集水器３は軒樋（図示略）に予め接続されている。
【００２７】
次に、集水器３の下流側端部３ｃと集水器３側の縦管部６のつば部２２の端部との距離を測定し、呼び樋５の長さ寸法を設定する。そして、図６に示すように、集水器３の差し口３ｂに呼び樋５の上流側端部５ａを外嵌させる。
続いて、縦管部６の挿通孔１２に軸線Ｊ１２方向から（即ち、図６に示す矢印方向に）横管部８を挿入する。この際、図４に示すように縦管部６の目印Ｐ１に横管部８の目印Ｐ２を合わせつつ、図２に示すように、横管部８の差し口９を呼び樋５の下流側端部５ｂに内嵌させる。
【００２８】
そして、集水器３に対向するつば部２２とは反対側の縦管部６のつば部２２に横管部８の挿通規制部２６を係止させ、横管部８の挿入位置を固定する。なお、上竪樋４Ａ及び下竪樋４Ｂと縦管部６との接続及び呼び樋５と横管部８との接続を強固に保持するため、差し口９，縦管部６の差し口７Ａ，７Ｂにスポット溶接等の接着を行ってもよい。
上記工程により、図２に示す管継手１及び雨樋構造Ｘが施工される。
【００２９】
以上説明したように、本実施形態の管継手１では、縦管部６に上竪樋４Ａ及び下竪樋４Ｂを接続した後に、縦管部６の挿通孔１２に横管部８を挿通させ、適切な長さ寸法とした呼び樋５の下流側端部５ｂを横管部８の差し口９に接続する。即ち、上竪樋４Ａ及び下竪樋４Ｂと縦管部６との接続工程と、呼び樋５と横管部８との接続工程を、この順に、個別に行う。
【００３０】
このような構成によれば、上竪樋４Ａ、下竪樋４Ｂ、呼び樋５等の部材や、縦管部６及び横管部８を無理やり変形したり、調整加工したりすることなく、容易に接続し、縦管部６の内孔Ｈ６と横管部８の内孔Ｈ８を連通させ、Ｙ字構造を形成することができる。そして、管継手１の施工後に上竪樋４Ａ、下竪樋４Ｂ及び呼び樋５等の部材が、縦管部６又は横管部８から外れるのを防ぐために、縦管部６の差し口７Ａ、差し口７Ｂ及び横管部８の差し口９の長さ寸法を可及的に長くしても、施工の容易さを保持することができる。これによって、上記部材が管継手１から外れるのを確実に防止することができる。
【００３１】
また、本実施形態の管継手１によれば、縦管部６の挿通孔１２に軸線Ｊ１２方向に突出するつば部２２が形成されているので、挿通孔１２に横管部８を挿通させた際に、つば部２２の内壁面２２ａに横管部８の周壁部８ｗが当接し、つば部２２により横管部８の挿通方向がガイドされる。これにより、上竪樋４Ａ及び下竪樋４Ｂと縦管部６とを、並びに、呼び樋５と横管部８とをより容易に接続することができる。そして、管継手１及び雨樋構造Ｘの施工時の作業効率を向上させることができる。
【００３２】
また、本実施形態の管継手１によれば、フランジ状の挿通規制部２６が形成されているので、縦管部６の挿通孔１２に横管部８を挿通させた際に、挿通規制部２６が縦管部６の挿通孔１２の開口端部に設けられたつば部２２に係止する。すなわち、挿通規制部２６により横管部８の軸線Ｊ１２方向における位置決めがなされるため、横管部８の差し込み過ぎを容易且つ確実に防止することができる。また、縦管部６から横管部８を抜出する際に、指や抜出具を挿通規制部２６に掛けることで横管部８を挿通孔１２から容易に引き抜くことができる。従って、管継手１の施工及びメンテナンス等の作業効率を向上させることができる。
【００３３】
また、本実施形態の雨樋構造Ｘは、竪樋４と、竪樋４に向かって横方向に配される呼び樋５と、竪樋４と呼び樋５とを接続する管継手１と、を備えている。この構成によれば、上竪樋４Ａ及び下竪樋４Ｂ、呼び樋５等の部材やこれらに接続する縦管部６及び横管部８を無理やり変形したり、調整加工したりすることなく、容易且つ円滑に連結させることができる。また、施工後の上竪樋４Ａ及び下竪樋４Ｂ、呼び樋５等の部材が管継手１から外れることなく、接続状態が確実に保持できるので、雨樋構造Ｘの施工作業の効率化を図ることができる。
【００３４】
以上、本発明の好ましい実施形態について詳述したが、本発明は係る特定の実施形態に限定されるものではなく、特許請求の範囲内に記載された本発明の要旨の範囲内において、種々の変形・変更が可能である。
【００３５】
例えば、位置合わせ部となる目印Ｐ１と目印Ｐ２の位置は上記例に限定されず、横管部８の開口部１４ａ，１４ｂを正確に縦管部６の内孔Ｈ６に位置合わせできる限り自由に設定することができる。また、目印Ｐ１，Ｐ２の形態も上記例のような単なる表示に限定されず、縦管部６のつば部２２に設けられた凹部又は凸部からなる係合部と、横管部８の底部８ａに設けられた凸部又は凹部からなる被係合部から構成されてもよい。
【００３６】
また、図４において仮想線で示すように、横管部８の底部８ａには、直線状に延在し、軸線Ｊ８方向に突出するつまみ部３２が設けられていてもよい。つまみ部３２により横管部８の把持を容易に行うことができるとともに、つまみ部３２の長手方向を一定の方向に向けることによって、縦管部６の内孔Ｈ６に対して開口部１４ａ，１４ｂの向きを一致させることができる。
【符号の説明】
【００３７】
１…管継手、４…竪樋、４Ａ…上竪樋、４Ｂ…下竪樋、６…縦管部、６ｗ，８ｗ…周壁部、８…横管部、８ａ…底部、８ｂ…端部、９…差し口（接続部）、１０…呼び樋、１２…挿通孔、１４ａ，１４ｂ…開口部、１６…雨樋構造、２２…つば部、２６…挿通規制部、３２…つまみ部、Ｊ６，Ｊ８…軸線、Ｂ…建物、Ｗ…外壁
【図１】
2016138434.tif 000003
【図２】
2016138434.tif 000004
【図３】
2016138434.tif 000005
【図４】
2016138434.tif 000006
【図５】
2016138434.tif 000007
【図６】
2016138434.tif 000008